(57)【要約】【課題】製造コストの低減とともに、処理負担をかけず、迅速な起動を図ることができる記録再生装置を提供する。【解決手段】ＭＰＵ１４２は、電源が投入されると、ＥＰＲＯＭ１４４から起動プログラム１４４ａを読み出してＲＡＭ１４３に書き出す第１の処理と、ＲＡＭ１４３に書き出された起動プログラム１４４ａを読み出して実行するとともに、ディスクドライブ部８から記録プログラム８ｂと再生プログラム８ｃをＲＡＭ１４３に書き出す第２の処理と、ＲＡＭ１４３に書き出された記録プログラム８ｂあるいは再生プログラム８ｃを実行する第３の処理とを行う。【選択図】図１
2011003979.tif 000002
【特許請求の範囲】
【請求項１】
音声データ及び映像データを含むコンテンツデータを受信する受信手段と、
磁気ディスクにより構成された記録装置と、
前記受信手段により受信された前記コンテンツデータを前記記録装置へ記録させる記録手段と、
前記記録装置に記録された前記コンテンツデータを再生する再生手段と、
電源の供給が遮断しても内容を保持する第１メモリと、
プログラムモジュールを一時的に記憶する第２メモリと、
前記第２メモリから前記プログラムモジュールを読み取って実行するプロセッサと、を備える記録再生装置において、
前記第１メモリには、前記プログラムモジュールのうち、電源が投入されたときに記録再生装置を起動させるための起動プログラムモジュールが記憶され、
前記記録装置には、前記プロセッサを前記記録手段及び前記再生手段として機能させるための機能プログラムモジュールが記憶され、
前記プロセッサは、電源が投入されたときに、前記第１メモリから前記起動プログラムモジュールを読みだして前記第２メモリに書き出す第１の処理と、前記第１の処理の実行後、前記第２メモリに書き出した前記起動プログラムモジュールを読みだして実行するとともに、前記記録装置に記憶された前記機能プログラムモジュールを読みだして、前記第２メモリに書き出す第２の処理と、前記第２の処理の実行後、前記第２メモリに書き出した前記機能プログラムモジュールを読みだして実行する第３の処理と、を行うようにしたことを特徴とする記録再生装置。
【請求項２】
前記起動プログラムモジュールは、前記プロセッサによる記録装置へのアクセスを許可する処理を含むことを特徴とする請求項１に記載の記録再生装置。
【請求項３】
前記起動プログラムモジュールは、前記第２の処理の実行中において、所定の起動中表示を表示装置に表示させる起動表示処理を含むことを特徴とする請求項１又は２に記載の記録再生装置。
【請求項４】
音声データ及び映像データを含むコンテンツデータを受信する受信手段と、
磁気ディスクにより構成された記録装置と、
前記受信手段により受信された前記コンテンツデータを前記記録装置へ記録させる記録手段と、
前記記録装置に記録された前記コンテンツデータを再生する再生手段と、
電源の供給が遮断しても内容を保持する第１メモリと、
プログラムモジュールを一時的に記憶する第２メモリと、
前記第２メモリから前記プログラムモジュールを読み取って実行するプロセッサと、を備える記録再生装置において、
前記第１メモリには、前記プログラムモジュールのうち、電源が投入されたときに記録再生装置を起動させるための起動プログラムモジュールが記憶され、
前記記録装置には、前記プロセッサを前記記録手段及び前記再生手段として機能させるための機能プログラムモジュールが記憶され、
前記プロセッサは、電源が投入されたときに、前記第１メモリから前記起動プログラムモジュールを読みだして前記第２メモリに書き出す第１の処理と、前記第１の処理の実行後、前記第２メモリに書き出した前記起動プログラムモジュールを読みだして実行するとともに、前記記録装置に記憶された前記機能プログラムモジュールを読みだして、前記第２メモリに書き出す第２の処理と、前記第２の処理の実行後、前記第２メモリに書き出した前記機能プログラムモジュールを読みだして実行する第３の処理と、を実行し、
前記起動プログラムモジュールは、前記プロセッサによる記録装置へのアクセスを許可する処理と、前記第２の処理の実行中において、所定の起動中表示を表示装置に表示させる起動表示処理と、を含むことを特徴とする記録再生装置。
【発明の詳細な説明】
【技術分野】
【０００１】
本発明は、コンテンツデータの記録並びに再生が可能な記録再生装置に関し、特に、記憶されたプログラムモジュールの全部または一部を読み出し、これをアクセス用メモリに書き出して実行するようにした記録再生装置に関する。
【背景技術】
【０００２】
近年、テレビジョン受像機等の映像装置において処理される映像或いは音声の記録および再生を行うための装置として、ＨＤＤ（Hard Disk Drive）レコーダ等のデジタル方式による記録再生装置が広く普及している。また、これらの記録再生装置は、半導体記憶素子により構成された不揮発性メモリに記憶されたプログラムをアクセス用メモリへ書き出し、この書き出したプログラムをプロセッサが読み取って処理を行うものが一般的である。この不揮発性メモリは読み出し速度に大変優れているが、大変高価なものであるため、製造コストがかかるという問題があった。そこで、例えば、従来のプログラムの記憶方法として、プログラムをＲＯＭとディスクドライブなどの記憶媒体とに記憶し、初期化を行う初期化モジュールを含む基本機能のモジュールはＲＯＭに記憶し、その他のモジュールは記憶媒体に記憶しておいて、ＲＯＭのメモリ容量を削減可能としたものがある。このような記憶方法を実行する記憶装置では、電源投入後に初期化モジュールをＲＯＭから読みだして実行した後、ＲＯＭと記憶媒体とにそれぞれ記憶されたモジュールリストをＲＡＭに書き出す。そして、記憶媒体に記憶されたモジュールをＲＡＭに書き出し、ＭＰＵは、ＲＡＭに記憶されたモジュールリストに基づいて、要求されたモジュールを、ＲＯＭ又はＲＡＭから読みだして実行する（特許文献１）。
【先行技術文献】
【特許文献】
【０００３】
【特許文献１】ＷＯ２００２／０５２３９７号公報
【発明の概要】
【発明が解決しようとする課題】
【０００４】
しかしながら、このような記憶装置を記録再生装置に適用した場合、いちいちモジュールリストを参照してモジュールの格納されたデバイスを探していたのでは処理負担がかかり、また、例えば、ユーザがテレビ番組を視聴しているときに、当該番組を録画したいと考え録画準備を行う場合、記録再生装置の起動のたびにいちいちモジュールリストを書き出していたのでは、録画の開始がそれだけ遅くなるので、できるだけ早く録画を行いたいというユーザの要望に応えることができない。
【０００５】
本発明の課題は、製造コストの低減とともに、処理負担をかけず、迅速な起動を図ることができる記録再生装置を提供することである。
【課題を解決するための手段】
【０００６】
以上の課題を解決するため、請求項１に記載の発明は、音声データ及び映像データを含むコンテンツデータを受信する受信手段と、
磁気ディスクにより構成された記録装置と、
前記受信手段により受信された前記コンテンツデータを前記記録装置へ記録させる記録手段と、
前記記録装置に記録された前記コンテンツデータを再生する再生手段と、
電源の供給が遮断しても内容を保持する第１メモリと、
プログラムモジュールを一時的に記憶する第２メモリと、
前記第２メモリから前記プログラムモジュールを読み取って実行するプロセッサと、を備える記録再生装置において、
前記第１メモリには、前記プログラムモジュールのうち、電源が投入されたときに記録再生装置を起動させるための起動プログラムモジュールが記憶され、
前記記録装置には、前記プロセッサを前記記録手段及び前記再生手段として機能させるための機能プログラムモジュールが記憶され、
前記プロセッサは、電源が投入されたときに、前記第１メモリから前記起動プログラムモジュールを読みだして前記第２メモリに書き出す第１の処理と、前記第１の処理の実行後、前記第２メモリに書き出した前記起動プログラムモジュールを読みだして実行するとともに、前記記録装置に記憶された前記機能プログラムモジュールを読みだして、前記第２メモリに書き出す第２の処理と、前記第２の処理の実行後、前記第２メモリに書き出した前記機能プログラムモジュールを読みだして実行する第３の処理と、を行うようにしたことを特徴とする。
【０００７】
請求項２に記載の発明は、請求項１に記載の記録再生装置であって、前記起動プログラムモジュールは、前記プロセッサによる記録装置へのアクセスを許可する処理を含むことを特徴とする。
【０００８】
請求項３に記載の発明は、請求項１又は２に記載の記録再生装置であって、前記起動プログラムモジュールは、前記第２の処理の実行中において、所定の起動中表示を表示装置に表示させる起動表示処理を含むことを特徴とする。
【０００９】
請求項４に記載の発明は、音声データ及び映像データを含むコンテンツデータを受信する受信手段と、
磁気ディスクにより構成された記録装置と、
前記受信手段により受信された前記コンテンツデータを前記記録装置へ記録させる記録手段と、
前記記録装置に記録された前記コンテンツデータを再生する再生手段と、
電源の供給が遮断しても内容を保持する第１メモリと、
プログラムモジュールを一時的に記憶する第２メモリと、
前記第２メモリから前記プログラムモジュールを読み取って実行するプロセッサと、を備える記録再生装置において、
前記第１メモリには、前記プログラムモジュールのうち、電源が投入されたときに記録再生装置を起動させるための起動プログラムモジュールが記憶され、
前記記録装置には、前記プロセッサを前記記録手段及び前記再生手段として機能させるための機能プログラムモジュールが記憶され、
前記プロセッサは、電源が投入されたときに、前記第１メモリから前記起動プログラムモジュールを読みだして前記第２メモリに書き出す第１の処理と、前記第１の処理の実行後、前記第２メモリに書き出した前記起動プログラムモジュールを読みだして実行するとともに、前記記録装置に記憶された前記機能プログラムモジュールを読みだして、前記第２メモリに書き出す第２の処理と、前記第２の処理の実行後、前記第２メモリに書き出した前記機能プログラムモジュールを読みだして実行する第３の処理と、を実行し、
前記起動プログラムモジュールは、前記プロセッサによる記録装置へのアクセスを許可する処理と、前記第２の処理の実行中において、所定の起動中表示を表示装置に表示させる起動表示処理と、を含むことを特徴とする。
【発明の効果】
【００１０】
本発明によれば、製造コストの低減とともに、処理負担をかけず、迅速な起動を図ることができる記録再生装置を提供することができる。
【図面の簡単な説明】
【００１１】
【図１】本発明の実施形態に係るテレビジョン放送情報記録再生システムの要部構成を示すブロック図である。
【図２】本発明の実施形態に係る記録再生装置の制御部にて実行されるプログラム転送処理を表すフローチャートである。
【図３】本発明の実施形態に係る記録再生装置の制御部にて実行される起動処理を表すフローチャートである。
【図４】本発明の実施形態におけるテレビジョン受像機の表示画面に表示された映像を表す図である。
【図５】本発明の実施形態に係る記録再生装置の制御部にて実行される記録処理を表すフローチャートである。
【図６】本発明の実施形態に係る記録再生装置の制御部にて実行される再生処理を表すフローチャートである。
【発明を実施するための形態】
【００１２】
以下、図面を参照して、この発明の実施形態について説明する。
【００１３】
図１に示すように、テレビジョン放送情報記録再生システム１００は、テレビジョン放送情報に含まれる番組情報を、映像データや音声データ等から成るコンテンツデータとしてのテレビジョン放送情報として、ディスクドライブ部８に記録するとともに、ディスクドライブ部８に記録されたテレビジョン放送情報の再生を行う記録再生装置１と、ユーザが各種操作指示を入力するためのリモコン部２と、記録再生装置１において再生されたテレビジョン放送情報に基づく情報を表示させる所定の表示手段としてのテレビジョン受像機２００と、を備えて構成されている。
【００１４】
このテレビジョン放送情報記録再生システム１００は、例えば、放送局より送信されたテレビジョン放送情報に含まれる番組情報を記憶し再生するシステムである。
【００１５】
記録再生装置１は、放送局から送信された放送信号をアンテナ１７を介して受信し、その放送信号から所定の放送チャンネルの放送番組情報に応じた信号を選局するチューナ３と、チューナ３から出力された放送信号を構成するテレビジョン放送情報における映像データから同期信号を分離する分離部４と、分離部４から入力されたテレビジョン放送情報に対して所定の圧縮処理を行うエンコーダ６と、テレビジョン放送情報の入出力経路を設定して、エンコーダ６から入力されたテレビジョン放送情報をディスクドライブ部８に送給するとともに、ディスクドライブ部８から取り込んだテレビジョン放送情報を装置の各部に出力するデータプロセッサ７と、テレビジョン放送情報の記録及び再生を行う記録再生装置１に内蔵されたディスクドライブ部８と、ディスクドライブ部８から出力されたテレビジョン放送情報に所定の復元処理を行うデコーダ１０と、デコーダ１０から出力されたテレビジョン放送情報に対して所定の信号出力処理を行う出力インターフェース部１１と、リモコン部２からの入力操作信号を受信するとともに、その入力操作信号を制御部１４に出力するリモコン信号受光部１３と、記録再生装置１の各部を統括制御する制御部１４と、装置各部を接続する制御バス１５等を備えている。
【００１６】
リモコン部２は、例えば、記録再生装置１に対して遠隔操作を行うリモートコントロール装置（リモコン）であり、電源キー（図示省略）、録画キー（図示省略）、再生キー（図示省略）等を備えている。
【００１７】
チューナ３は、例えば、図示は省略するが、高周波増幅回路と、局部発振回路及び混合回路から成る周波数変換回路等を備えて構成されている。
チューナ３は、記録再生装置１に接続されたアンテナ１７を介して記録再生装置１に入力されたテレビジョン放送信号と、局部発振回路から出力される局部発振信号とを混合回路により混合し、その放送信号の周波数を選局するための制御部１４からの制御出力に応じて、特定周波数帯の放送信号を受信する。そしてチューナ３は、受信した放送信号を所定の中間周波数を有するＩＦ（中間周波：Intermediate Frequency）信号に変換して分離部４に出力する。
このように、チューナ３は、受信手段を構成する。
【００１８】
分離部４は、放送信号であるテレビジョン放送情報をエンコーダ６に出力するとともに、チューナ３より入力されたＩＦ信号からテレビジョン放送情報を構成する映像データと音声データを分離し、分離した映像データから、同期信号を分離して装置の各部に出力する。この同期信号に基づいて、ディスクドライブ部８におけるテレビジョン放送情報の記録、再生等が行われる際の同期がとられることとなる。
【００１９】
エンコーダ６は、例えば、図示は省略するがビデオエンコーダと、オーディオエンコーダ等を備えて構成されている。
ビデオエンコーダは、テレビジョン放送情報を構成する映像データをＭＰＥＧ（Motion Picture Expert Group）方式に従って圧縮し、オーディオエンコーダは、テレビジョン放送情報を構成する音声データをＭＰＥＧオーディオ方式に従って圧縮する。
そして、このエンコーダ６において生成されたテレビジョン放送情報は、データプロセッサ７を介してディスクドライブ部８に出力されることとなる。
【００２０】
データプロセッサ７は、後述するＭＰＵ１４２からの制御出力に基づいて、テレビジョン放送情報の入出力経路を設定し、データの入力及び出力を制御する。
具体的には、例えば、ユーザによるリモコン部２の操作によりディスクドライブ部８に対する記憶の指示がなされた場合には、エンコーダ６から入力されたテレビジョン放送情報をディスクドライブ部８に出力する。
【００２１】
デコーダ１０は、例えば、図示は省略するが、セパレート部と、ビデオデコーダと、オーディオデコーダ等を備えて構成されている。
セパレート部は、ディスクドライブ部８からデータプロセッサ７を介して出力されたテレビジョン放送情報を映像データ、音声データ等の複数のデータに分離する。また、ビデオデコーダは、セパレート部において分離された映像データを、ＭＰＥＧ方式に従って復元し、オーディオデコーダは、セパレート部において分離された音声データをＭＰＥＧオーディオ方式に従って復元する。
このデコーダ１０において生成されたテレビジョン放送情報は、再生処理においては出力インターフェース部１１に出力されることとなる。
【００２２】
出力インターフェース部１１は、例えば、図示しない映像出力部と音声出力部とＤ／Ａ変換器等を備え、再生処理においてデコーダ１０から入力されるテレビジョン放送情報に対して各種の出力インターフェース処理を施し、ＮＴＳＣ方式やＰＡＬ方式等のテレビジョン受像機２００に適合した映像データ、音声データに変換する。具体的には、Ｄ／Ａ変換器は、出力がアナログである場合に、デコーダ１０より入力されたデジタルのテレビジョン放送情報をアナログデータに変換する。
この出力インターフェースにおいて生成されたテレビジョン放送情報に基づく情報である映像や音声は、記録再生装置１に接続されたテレビジョン受像機２００の表示画面２００ａやスピーカ（図示省略）にそれぞれ出力されることとなる。
【００２３】
ディスクドライブ部８は、内蔵されたハードディスクと、ハードディスクに対するデータの記憶或いはハードディスクに記憶されたデータの読み出しを行う磁気ヘッド（図示省略）と、ハードディスクを回転駆動させるとともに、磁気ヘッドをハードディスクの半径方向に移動させるための駆動部（図示省略）等を備えて構成されている。ハードディスクは、非磁性体のディスク基板（図示省略）と、その上に設けられた磁性層（図示省略）と、を備えて成り、磁気ヘッドとハードディスクとの間に、電流を供給することにより磁界を発生する微小なギャップを有している。
【００２４】
ディスクドライブ部８は、テレビジョン放送情報を記録する記録部８ａと、プログラム格納エリアを有している。このプログラム格納エリアには、機能プログラムモジュールとしての記録プログラム８ｂ及び再生プログラム８ｃ等が記憶されている。
ディスクドライブ部８は、上記のような構成により、記録装置を構成する。
【００２５】
記録プログラム８ｂは、例えば、ＭＰＵ１４２に、入力されるテレビジョン放送情報をディスクドライブ部８に記録する機能を実現させるためのプログラムモジュールである。
具体的には、リモコン２において、テレビジョン放送情報の記録を指示するキー操作が行われ、チューナ３による選局処理が行われてテレビジョン放送情報の受信が開始されると、ＭＰＵ１４２は、分離部４、エンコーダ部６、データプロセッサ７等において前述した処理を行わせ、ディスクドライブ部８に記録可能なフォーマットに変換されたテレビジョン放送情報を、記録部８ａに記録させる。
ＭＰＵ１４２は、かかる記録プログラム８ｂを実行することにより、記録手段として機能する。
【００２６】
再生プログラム８ｃは、例えば、ＭＰＵ１４２に、記録プログラム８ｂの実行により記録部８ａに記録されたテレビジョン放送情報を再生する機能を実現させるためのプログラムモジュールである。
具体的には、リモコン２において、記録部８ａに記録されたテレビジョン放送情報の再生を指示するキー操作が行われると、ＭＰＵ１４２は、ディスクドライブ部８において記録部８ａに記録されたテレビジョン放送情報を読み出して、データプロセッサ７、デコーダ１０等において前述した処理を行わせ、記録再生装置１に接続されたテレビジョン受像機２００に出力して、表示部２００ａに映像を表示させるとともに、図示しない音声出力部により音声を出力させる。
ＭＰＵ１４２は、かかる再生プログラム８ｃを実行することにより、再生手段として機能する。
【００２７】
リモコン信号受光部１３は、リモコン部２に備わる各種キーが、ユーザの押下操作により出力された赤外線等の入力操作信号を受信し、その入力操作信号を制御部１４に対して出力する。
【００２８】
制御部１４は、ＭＰＵ（Micro Processor Unit）１４２と、ＲＡＭ（Random Access Memory）１４３と、ＥＰＲＯＭ（Erasable Programmable Read Only Memory）１４４等を備えて構成されている。
【００２９】
プロセッサとしてのＭＰＵ１４２は、プログラム伸長部１４２ａを備えており、ＥＰＲＯＭ１４４やディスクドライブ部８に格納された各種プログラムを伸長してＲＡＭ１４３へ転送する。そして、ＭＰＵ１４２は、記録再生装置１の各部を介して入力された入力信号や、リモコン部２の各種キーの押下操作によってリモコン信号受光部１３を介して入力された入力操作信号等に応じて、ＲＡＭ１４３へ転送された各種プログラムを読み出して実行するとともに、実行にかかるプログラムに基づいて装置の各部に出力信号を出力することによって、記録再生装置１の動作全般を統括制御する。
【００３０】
第２メモリとしてのＲＡＭ１４３は、例えば、ＳＤＲＡＭ等、データの高速転送が可能な記憶媒体が用いられている。このＲＡＭ１４３は、ＭＰＵ１４２により実行される処理プログラム等を書き出すためのアクセス領域１４３ａや、入力データや処理プログラムが実行される際に生じる処理結果等を格納するワークエリア１４３ｂなどを備える。
【００３１】
第１メモリとしてのＥＰＲＯＭ１４４は、例えば、フラッシュメモリ等、電源の供給が遮断しても内容を保持し、電気的に書き換え可能な不揮発性メモリが用いられている。このＥＰＲＯＭ１４４は、プログラム格納エリアを有し、プログラム格納エリアには、起動プログラムモジュールとしての起動プログラム１４４ａが格納されている。
【００３２】
起動プログラム１４４ａは、電源が投入されたときに、記録再生装置１を正常に動作させるための初期設定を行わせるとともに、ディスクドライブ部８へのアクセスを可能にする機能をＭＰＵ１４２に実現させるプログラムモジュールである。
【００３３】
次に、当該記録再生装置１におけるプログラム転送処理について、図２のフローチャートを参照して説明する。
【００３４】
まず、ＭＰＵ１４２は、図２に示すように、第１の処理として、プログラム伸長部１４２ａにより、ＥＰＲＯＭ１４４から起動プログラム１４４ａを読み出して伸長し、ＲＡＭ１４３のアクセス領域１４３ａに書き出す（ステップＳ１０）。
【００３５】
次に、ＭＰＵ１４２は、システムリセットの解除を行う（ステップＳ１１）。ＭＰＵ１４２は、このシステムリセットの解除により、アクセス領域１４３ａに書き出されたプログラムの実行を開始する。すなわち、ステップＳ１０にて転送された、第２の処理としての起動プログラム１４４ａが実行され、起動処理が開始されることとなる。
【００３６】
そして、ＭＰＵ１４２は、ディスクドライブ部８とのアクセス設定がなされたか否かを判定する（ステップＳ１２）。ＭＰＵ１４２は、ステップＳ１２において、アクセス設定がなされたと判定したときは、第２の処理として、プログラム伸長部１４２ａによって、ディスクドライブ部８に記憶された各プログラムを伸長してアクセス領域１４３ａへ書き出し（ステップＳ１３）、この処理を終了する。一方、ＭＰＵ１４２は、ステップＳ１２において、アクセス設定がなされたと判定しなかったときは、再度ステップＳ１２の処理を実行する。
【００３７】
次に、当該記録再生装置１における起動処理について、図３のフローチャートを参照して説明する。起動処理は、ＭＰＵ１４２が起動プログラム１４４ａを実行することにより実現される。
【００３８】
まず、ＭＰＵ１４２は、図３に示すように、当該記録再生装置１の各構成部が正常に機能するように初期設定を行う（ステップＳ１０１）。
そして、ＭＰＵ１４２は、ディスクドライブ部８とのアクセスを可能にするための設定を行うドライブアクセス設定処理を実行する（ステップＳ１０２）。この処理が実行されることにより、ＭＰＵ１４２は、ディスクドライブ部８とのアクセスが可能となり、上述した図２のステップＳ１２において、アクセス設定がなされたと判定されるようになる。
【００３９】
次に、ＭＰＵ１４２は、図４（ａ）に示すような起動中である旨の表示をテレビジョン受像機２００の表示画面２００ａに行わせる処理を実行する（ステップＳ１０３）。
そして、ＭＰＵ１４２は、記録プログラム８ｂ及び再生プログラム８ｃのディスクドライブ部８からアクセス領域１４３ａへの転送が完了したか否かを判定する（ステップＳ１０４）。ＭＰＵ１４２は、記録プログラム８ｂ及び再生プログラム８ｃのディスクドライブ部８からアクセス領域１４３ａへの転送が完了したと判定したときは、表示画面２００ａにおける表示を、図４（ａ）に示すような表示から図４（ｂ）に示すような表示へ切り替える処理を行う（ステップＳ１０５）。このような表示を行うことにより、ユーザに対して記録及び再生が可能となった旨を認識させるようにしている。
一方、ＭＰＵ１４２は、ステップＳ１０４において、記録プログラム８ｂ及び再生プログラム８ｃのディスクドライブ部８からアクセス領域１４３ａへの転送が完了したと判定しなかったときは、再度ステップＳ１０４の処理を実行する。
【００４０】
次に、当該記録再生装置１における第３の処理としての記録処理について、図５のフローチャートを参照して説明する。この記録処理は、ＭＰＵ１４２が記録プログラム８ｂを実行することにより実現される。また、この処理は、記録プログラム８ｂのアクセス領域１４３ａへの転送が完了したことを条件として、例えば、所定時間毎（例えば、２ｍｓ毎）に実行される。
【００４１】
まず、ＭＰＵ１４２は、図５に示すように、ユーザによってリモコン部２による記録指示が入力されたか否かを判定する（ステップＳ２０１）。
ＭＰＵ１４２は、ステップＳ２０１において、記録指示が入力されたと判定したときは、所定の記録実行処理を実行して（ステップＳ２０２）、この処理を終了する。具体的には、ＭＰＵ１４２は、その時点で記録部８ａにおける一つの空きセグメント（例えば、セグメント１）を確保し、このセグメント１にデータの記録を行う。そして、セグメント１が一杯になった時点で次の一つの空きセグメント（例えばセグメント２）を確保し、このセグメント２にデータの記録を行う。つまり、一つのセグメント一杯まで記録を行うと、その時点で次の空きセグメントを確保することを繰り返すことによって、テレビジョン放送情報の記録を行うようにしている。
一方、ＭＰＵ１４２は、ステップＳ２０１において、記録指示が入力されたと判定しないときは、ステップＳ２０２の処理を実行することなくこの処理を終了する。
【００４２】
次に、当該記録再生装置１における第３の処理としての再生処理について、図６のフローチャートを参照して説明する。この再生処理は、ＭＰＵ１４２が再生プログラム８ｃを実行することにより実現される。また、この処理は、再生プログラム８ｃのアクセス領域１４３ａへの転送が完了したことを条件として、例えば、所定時間毎（例えば、２ｍｓ毎）に実行される。
【００４３】
まず、ＭＰＵ１４２は、図６に示すように、ユーザによってリモコン部２による再生指示が入力されたか否かを判定する（ステップＳ３０１）。
ＭＰＵ１４２は、ステップ３０１において、再生指示が入力されたと判定したときは、上述したような再生動作を行わせるための再生実行処理を実行して（ステップＳ３０２）、この処理を終了する。
一方、ＭＰＵ１４２は、ステップＳ３０１において、再生指示が入力されたと判定しないときは、ステップＳ３０２の処理を実行することなくこの処理を終了する。
【００４４】
以上説明したように、本発明の実施形態によれば、電源が投入されると、ＥＰＲＯＭ１４４から起動プログラム１４４ａが読み出されてＲＡＭ１４３に書き出す第１の処理が実行される。そして、ＲＡＭ１４３に書き出された起動プログラム１４４ａがＭＰＵ１４２によって実行されるとともに、記憶装置としてのディスクドライブ部８から機能プログラムとしての記録プログラム８ｂ及び再生プログラム８ｃが読み出されてＲＡＭ１４３に書き出す第２の処理が実行される。その後、記録プログラム８ｂあるいは再生プログラム８ｃが実行されて、テレビジョン放送情報の記録・再生が可能となる。その結果、高速なアクセスが可能であるが高価であるＥＰＲＯＭ１４４には、起動に必要な起動プログラム１４４ａのみ格納し、記録再生装置１における各種機能を発揮させるための機能プログラムについては、比較的安価なディスクドライブ部８にて記憶させることにより、ＥＰＲＯＭ１４４にかかるコストを低減させることができ、その結果、製造コストが低減する。また、記録再生装置１を正常に機能させるための起動プログラム１４４ａを実行中に、機能を発揮させるのに必要な機能プログラムのみＲＡＭ１４３への書き出しを行うので、機能プログラムの実行までの遅延を抑制することができ、ディスクドライブ部８に機能プログラムを記憶させるようにしても迅速な録画あるいは再生が可能となる。さらに、起動プログラム１４４ａ及び機能プログラムの何れもＲＡＭ１４３へ書き出し、ＭＰＵ１４２は書き出したプログラムを実行するので、プログラムの実行毎にデバイスを探すといった処理負荷をかけることがない。
【００４５】
また、本発明の実施形態によれば、ディスクドライブ部８から機能プログラムのＲＡＭ１４３への書き出しを速やかに行うことができる。
【００４６】
また、本発明の実施形態によれば、起動中であることをユーザに対して認識可能にすることができる。
【００４７】
なお、本発明の実施形態では、磁気ディスクとしてハードディスクを用いたが、ＣＤ−ＲＯＭやＤＶＤなどの磁気ディスクを用いるようにしてもよい。
【００４８】
また、本発明の実施形態では、記録再生装置１をテレビジョン受像機２００と別体としているが、一体に構成してもよい。
【００４９】
また、本発明の実施形態では、機能プログラムの転送中において起動中表示を行うようにしたが、そのような表示を行わないようにしてもよい。
【符号の説明】
【００５０】
１００  テレビジョン放送情報記録再生システム
１  記録再生装置
３  チューナ（受信手段）
８  ディスクドライブ部（記録装置）
８ａ  記録部
８ｂ  記録プログラム（機能プログラムモジュール、記録手段）
８ｃ  再生プログラム（機能プログラムモジュール、再生手段）
１４  制御部
１４２  ＭＰＵ（マイクロプロセッサ、再生手段、記録手段）
１４２ａ  プログラム伸長部
１４３  ＲＡＭ（第２メモリ）
１４３ａ  アクセス領域
１４４  ＥＰＲＯＭ（第１メモリ）
１４４ａ  起動プログラム（起動プログラムモジュール）
２００  テレビジョン受像機（表示装置）
【図１】
2011003979.tif 000003
【図２】
2011003979.tif 000004
【図３】
2011003979.tif 000005
【図４】
2011003979.tif 000006
【図５】
2011003979.tif 000007
【図６】
2011003979.tif 000008